(57)【要約】      （修正有）【課題】樹脂製の弁軸の同軸度を改善することができる流量調整装置を提供する。【解決手段】流量調整装置は、入水流路を有する本体部と、本体部の内部に配置され、入水流路の延在方向に沿う第１貫通穴が設けられるカラー部と、第１貫通穴の延在方向に沿って移動可能に第１貫通穴に挿入され、かつ第１貫通穴の内周面と摺動する摺動部分を有する樹脂製の弁軸と、弁軸に取り付けられる充填部材３４とを有している。第１部分は、第１大径部３１ａと、第２大径部３１ｂと、第１大径部及び第２大径部に挟み込まれ、かつ、第１大径部及び第２大径部よりも外径が小さい小径部３２ａとを含んでいる。充填部材は、小径部に位置する弁軸の外周面上に取り付けられる。充填部材の少なくとも一部は、弁軸が入水流路側に近づいた際にカラー部２の外部に位置する。【選択図】図７
2018179206.tif 000002
【特許請求の範囲】
【請求項１】
入水流路を有する本体部と、
前記本体部の内部に配置され、前記入水流路の延在方向に沿う第１貫通穴が設けられるカラー部と、
前記第１貫通穴の延在方向に沿って移動可能に前記第１貫通穴に挿入され、かつ前記第１貫通穴の内周面と摺動する摺動部分を有する樹脂製の弁軸と、
前記弁軸に取り付けられる充填部材とを備え、
前記摺動部分は、第１大径部と、第２大径部と、前記第１大径部及び前記第２大径部に挟み込まれ、かつ前記第１大径部及び前記第２大径部よりも外径が小さい第１小径部とを含み、
前記充填部材は、前記第１小径部に位置する前記弁軸の外周面上に取り付けられ、
前記充填部材の少なくとも一部は、前記弁軸が前記入水流路側に近づいた際に、前記カラー部の外部に位置する、流量調整装置。
【請求項２】
前記充填部材は、前記弁軸よりも可撓性が高い、請求項１に記載の流量調整装置。
【請求項３】
前記充填部材を構成する材料は、ゴムである、請求項２に記載の流量調整装置。
【請求項４】
前記充填部材の外径は、前記第１大径部及び前記第２大径部の外径の０．９９倍以上１．０１倍以下である、請求項１に記載の流量調整装置。
【請求項５】
前記充填部材の外周面は、前記第１大径部及び前記第２大径部に位置する前記弁軸の外周面と面一となる、請求項１に記載の流量調整装置。
【請求項６】
請求項１〜５のいずれか１項に記載の前記流量調整装置と、
給湯流路と、
注湯流路とを備え、
前記本体部は、前記入水流路から分岐し、かつ前記給湯流路に接続される第１出水流路と、前記入水流路から分岐し、かつ前記注湯経路に接続される第２出水流路とをさらに有する、温水装置。
【発明の詳細な説明】
【技術分野】
【０００１】
本発明は、流量調整装置及びそれを用いた温水装置に関する。
【背景技術】
【０００２】
従来の流量調整装置として、例えば特開２０１６−２３９０６号公報（特許文献１）に記載された弁装置が知られている。特許文献１に記載された弁装置は、弁筐と、弁軸と、モータと、弁体とを有している。
【０００３】
弁筐は、給湯路と、出湯路と、湯張り路とを有している。出湯路及び湯張り路は、弁筐の内部において、給湯路から分岐している。弁筐は、給湯路の内部に設けられた弁座を有している。弁体は、弁座に対向するように弁軸に取り付けられている。弁軸は、モータに取り付けられている。モータは、弁軸を移動させる。これにより、弁座と弁体との距離が変化し、給湯路から出湯路及び湯張り路に流れる湯水の流量が調整される。
【先行技術文献】
【特許文献】
【０００４】
【特許文献１】特開２０１６−２３９０６号公報
【発明の概要】
【発明が解決しようとする課題】
【０００５】
流量調整装置においては、弁軸に高い同軸度が要求される。弁軸が金属材料製である場合、弁軸を切削加工により形成することができる。切削加工は、高い寸法精度を達成しやすい。そのため、金属材料製の弁軸においては、高い同軸度の要求を満たすことが可能である。
【０００６】
しかしながら、弁軸が樹脂製である場合、弁軸は、金型に樹脂を流し込むことにより形成される。金型に樹脂を流し込む方法では、切削加工と比較して高い寸法精度を得ることが困難である。そのため、弁軸が樹脂製である場合、高い同軸度の要求を満たすことは困難である。
【０００７】
本発明は、上記のような従来技術の問題点に鑑みてなされたものである。より具体的には、本発明は、樹脂製の弁軸の同軸度を改善することができる流量調整装置及び温水装置を提供するものである。
【課題を解決するための手段】
【０００８】
本発明の一態様に係る流量調整装置は、入水流路を有する本体部と、本体部の内部に配置され、入水流路の延在方向に沿う第１貫通穴が設けられるカラー部と、第１貫通穴の延在方向に沿って移動可能に第１貫通穴に挿入され、かつ、第１貫通穴の内周面と摺動する摺動部分を有する樹脂製の弁軸と、弁軸に取り付けられる充填部材とを備える。摺動部分は、第１大径部と、第２大径部と、第１大径部及び第２大径部に挟み込まれ、かつ第１大径部及び第２大径部よりも外径が小さい第１小径部とを含む。充填部材は、第１小径部に位置する弁軸の外周面上に取り付けられる。充填部材の少なくとも一部は、弁軸が入水流路側に近づいた際に、カラー部の外部に位置する。
【０００９】
本発明の一態様に係る流量調整装置によると、樹脂製の弁軸の同軸度を改善することができる。また、本発明の一態様に係る流量調整装置によると、通水音、配管等のエロージョンを抑制することができる。
【００１０】
上記の流量調整装置においては、充填部材は、弁軸よりも可撓性が高くてもよい。上記の流量調整装置において、充填部材を構成する材料は、ゴムであってもよい。これらの場合には、充填部材の弁軸への取り付けが容易になる。
【００１１】
上記の流量調整装置において、充填部材の外径は、第１大径部及び第２大径部の外径の０．９９倍以上１．０１倍以下であってもよい。この場合には、通水音、配管等のエロージョンを抑制しつつ、充填部材が弁軸と第１貫通穴の内周面との摺動の障害となることを抑制できる。
【００１２】
上記の流量調整装置において、充填部材の外周面は、第１大径部及び第２大径部に位置する弁軸の外周面と面一となっていてもよい。この場合には、通水音、配管等のエロージョンを抑制しつつ、充填部材が弁軸と第１貫通穴の内周面との摺動の障害となることを抑制できる。
【００１３】
本発明の一態様に係る温水装置は、上記の流量調整装置と、給湯流路と、注湯流路とを備える。上記の流量調整装置の本体部は、入水流路から分岐し、かつ給湯流路に接続される第１出水流路と、入水流路から分岐し、かつ注湯経路に接続される第２出水流路とをさらに有する。
【発明の効果】
【００１４】
本発明の一態様に係る流量調整装置によると、樹脂製の弁軸の同軸度を改善することが可能となる。また、本発明の一態様に係る流量調整装置によると、通水音、配管等のエロージョンを抑制することができる。
【図面の簡単な説明】
【００１５】
【図１】実施形態に係る流量調整装置の断面図である。
【図２】図１の方向ＩＩからみた実施形態に係る流量調整装置における入水流路の拡大平面図である。
【図３】図１の領域ＩＩＩの拡大図である。
【図４】実施形態の変形例１に係る流量調整装置における弁軸３の部分拡大断面図である。
【図５】実施形態の変形例２に係る流量調整装置における弁軸３の部分拡大断面図である。
【図６】弁軸３が前進した際の実施形態に係る流量調整装置の断面図である。
【図７】図６の領域ＶＩＩの拡大図である。
【図８】実施形態に係る流量調整装置の弁軸の製造方法を示す断面図である。
【図９】実施形態に係る温水装置の模式図である。
【発明を実施するための形態】
【００１６】
（実施形態に係る流量調整装置の構成）
以下に、実施形態に係る流量調整装置の構成について、図１〜７を参照して説明する。なお、各図中同一または相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００１７】
図１に示すように、実施形態に係る流量調整装置は、本体部１と、カラー部２と、弁軸３と、駆動部４と、弁体５とを有している。実施形態に係る流量調整装置は、充填部材３４をさらに有している。本体部１は、入水流路１１と、第１出水流路１２と、第２出水流路１３とを有している。
【００１８】
入水流路１１、第１出水流路１２及び第２出水流路１３は、本体部１の内部に設けられている。第１出水流路１２及び第２出水流路１３は、本体部１の内部において、入水流路１１から分岐している。入水流路１１は、実施形態に係る流量調整装置に流入する湯水が流れる流路である。第１出水流路１２及び第２出水流路１３は、実施形態に係る流量調整装置から流出する湯水が流れる流路である。
【００１９】
本体部１は、ガイド部１４をさらに有している。ガイド部１４は、入水流路１１の内部に設けられている。図２に示すように、ガイド部１４は、ガイド本体１４ａと、第２貫通穴１４ｂと、リブ１４ｃとを有している。
【００２０】
ガイド本体１４ａは、入水流路１１の内部に配置されている。ガイド本体１４ａは、例えば円筒形状を有している。このことを別の観点からいえば、ガイド本体１４ａには、第２貫通穴１４ｂが設けられている。第２貫通穴１４ｂは、入水流路１１の延在方向に沿って設けられている。第２貫通穴１４ｂには、弁軸３が挿入されている。すなわち、弁軸３は、第２貫通穴１４ｂによりガイドされる。
【００２１】
ガイド本体１４ａは、リブ１４ｃによって入水流路１１の内部に配置されている。リブ１４ｃは、入水流路１１の内周面と、ガイド本体１４ａの外周面とを連結している。リブ１４ｃは、入水流路１１の内周面から入水流路１１の中心に向かう方向に延在している。
【００２２】
本体部１は、弁座１５をさらに有している。弁座１５は、入水流路１１の内周面に設けられている。弁座１５は、弁体５と対向する位置に配置される。より具体的には、弁座１５は、入水流路１１の内周面から入水流路１１の中心に向かう方向に延在している。弁座１５は、ガイド部１４よりも湯水の通水方向における下流側に配置されている。
【００２３】
カラー部２は、本体部１の内部に配置されている。カラー部２は、第１端２ａと、第２端２ｂとを有している。カラー部２は、第１端２ａが入水流路１１側を向くように配置されている。第２端２ｂは、第１端２ａの反対側の端である。すなわち、カラー部２は、第２端２ｂが駆動部４側を向くように配置されている。第１端２ａから第２端２ｂに向かう方向は、入水流路１１の延在方向に沿っている。
【００２４】
カラー部２には、第１貫通穴２１が設けられている。第１貫通穴２１は、第１端２ａから第２端２ｂに向かって延在し、カラー部２を貫通している。このことを別の観点からいえば、第１貫通穴２１は、入水流路１１の延在方向に沿って設けられている。第１貫通穴２１の内周面には、ネジ山２２が形成されている。ネジ山２２が形成されている第１貫通穴２１の部分は、第２端２ｂ側に位置している。
【００２５】
弁軸３は、樹脂により形成されている。弁軸３に用いられる樹脂は、例えばＰＰＳ（ポリフェニレンサルファイド）等である。弁軸３は、第１端３ａと、第２端３ｂとを有している。第２端３ｂは、第１端３ａの反対側の端である。以下においては、第１端３ａから第２端３ｂに向かう方向を、弁軸３の中心軸方向ということがある。
【００２６】
弁軸３は、第１貫通穴２１に挿入されている。弁軸３は、第２貫通穴１４ｂに挿入されている。弁軸３は、第１端３ａが入水流路１１側を向くように、第１貫通穴２１及び第２貫通穴１４ｂに挿入されている。弁軸３は、第２端３ｂにおいて、駆動部４に取り付けられている。弁軸３の外周面には、第２端３ｂ側において、ネジ山３０が形成されている。ネジ山３０は、ネジ山２２と螺合している。
【００２７】
弁軸３は、摺動部分３ｃを有している。摺動部分３ｃは、第１貫通穴２１の内周面と摺動する弁軸３の部分である。図３に示すように、摺動部分３ｃは、大径部３１ａ（第１大径部）と、大径部３１ｂ（第２大径部）と、小径部３２ａとを有している。小径部３２ａは、中心軸方向において、大径部３１ａ及び大径部３１ｂにより挟み込まれている。すなわち、小径部３２ａは、中心軸方向において、大径部３１ａ及び大径部３１ｂの間に配置されている。
【００２８】
弁軸３は、大径部３１ａ及び大径部３１ｂにおいて外径Ｄ１を有している。弁軸３は、小径部３２ａにおいて外径Ｄ２を有している。外径Ｄ１は、外径Ｄ２よりも大きい。
【００２９】
弁軸３は、テーパ部３３ａとテーパ部３３ｂとをさらに有していてもよい。テーパ部３３ａは、大径部３１ａと小径部３２ａとの間に配置されている。テーパ部３３ａは、大径部３１ｂと小径部３２ａとの間に配置されている。図４に示されるように、テーパ部３３ａのみが設けられ、テーパ部３３ｂが設けられていなくてもよい。すなわち、大径部３１ｂと小径部３２ａが接して配置されていてもよい。図示されていないが、テーパ部３３ｂのみが設けられ、テーパ部３３ａが設けられていなくてもよい。すなわち、大径部３１ａは小径部３２ａと接して配置されており、小径部３２ａと大径部３１ｂとの間にテーパ部３３ｂが配置されていてもよい。
【００３０】
テーパ部３３ａにおける弁軸３の外径は、小径部３２ａ側から大径部３１ａ側に向かうにしたがって大きくなっている。小径部３２ａ側の端に位置するテーパ部３３ａにおける弁軸３の外径は、外径Ｄ２に等しい。大径部３１ａ側の端に位置するテーパ部３３ａにおける弁軸３の外径は、外径Ｄ１に等しい。テーパ部３３ｂにおける弁軸３の外径は、小径部３２ａ側から大径部３１ｂ側に向かうにしたがって大きくなっている。小径部３２ａ側の端に位置するテーパ部３３ｂにおける弁軸３の外径は、外径Ｄ２に等しい。大径部３１ｂ側の端に位置するテーパ部３３ｂにおける弁軸３の外径は、外径Ｄ１に等しい。
【００３１】
なお、図５に示すように、摺動部分３ｃは、大径部３１ｃ（第３大径部）と、小径部３２ｂ（第２小径部）とをさらに有していてもよい。すなわち、弁軸３が有する小径部の数は、複数であってもよい。
【００３２】
図１に示すように、弁軸３は、Ｏリング溝３ｄが設けられている。Ｏリング溝３ｄは、複数配置されていてもよい。Ｏリング溝３ｄには、Ｏリング３ｅが配置されている。Ｏリング３ｅにより、弁軸３と第１貫通穴２１の内周面との間の水密性が確保される。なお、摺動部分３ｃに、Ｏリング溝３ｄは含まれない。
【００３３】
駆動部４は、弁軸３を、中心軸方向に沿って移動させる。駆動部４は、例えばステッピングモータ等である。より具体的には、駆動部４は、弁軸３を弁軸３の中心軸回りに回転させる。上記のとおり、第１貫通穴２１はネジ山２２を有しており、弁軸３はネジ山２２と螺合するネジ山３０を有している。そのため、駆動部４が弁軸３を中心軸回りに回転させることにより、弁軸３は、中心軸に沿って移動する。
【００３４】
なお、以下においては、カラー部２の第１端２ａ側からの露出が大きくなる方向に弁軸３を移動させることを前進といい、カラー部２の第１端２ａ側からの露出が小さくなる方向に弁軸３を移動させることを後退ということがある。
【００３５】
上記のとおり、弁軸３は、第１貫通穴２１の内周面と摺動する摺動部分３ｃを有している。そのため、弁軸３の中心軸方向に沿った移動は、第１貫通穴２１によりガイドされることになる。
【００３６】
弁体５は、弁軸３に取り付けられている。具体的には、弁体５は、穴を有している。弁体５は、弁軸３を穴に挿入することにより、弁軸３に取り付けられている。弁体５は、弁座１５と対向するように弁軸３に取り付けられている。弁体５は、駆動部４が弁軸３を前進させることにより、弁座１５との間の流路を狭めるように取り付けられている。
【００３７】
弁体５と弁座１５との間の流路が狭まっている状態においては、入水流路１１の側から第１出水流路１２及び第２出水流路１３の側には湯水が実質的に通水していない。以下においては、弁体５と弁座１５との間の流路が狭まり、入水流路１１の側から第１出水流路１２及び第２出水流路１３の側に湯水が実質的に通水していない状態を、閉状態ということがある。
【００３８】
閉状態から弁軸３を後退させていくにしたがい、弁体５と弁座１５との間隔が大きくなっていく。弁体５と弁座１５との間隔が大きくなっていくことにより、入水流路１１の側から第１出水流路１２及び第２出水流路１３の側に流れる湯水の流量が増加する。
【００３９】
このように、実施形態に係る流量調整装置においては、駆動部４が弁軸３に取り付けられた弁体５の位置を調整して弁体５と弁座１５との間隔を変化させることにより、入水流路１１の側から第１出水流路１２及び第２出水流路１３の側に流れる湯水の流量が調整される。
【００４０】
充填部材３４は、弁軸３に取り付けられている。充填部材３４は、大径部３１ａと大径部３１ｂとの間に位置する弁軸３の外周面上に配置されている。より具体的には、充填部材３４は、小径部３２ａに位置する弁軸３の外周面上に配置されている。なお、摺動部分３ｃがテーパ部３３ａ、テーパ部３３ｂを有している場合、充填部材３４は、テーパ部３３ａ、テーパ部３３ｂに位置する弁軸３の外周面上にも配置されている。また、摺動部分３ｃが大径部３１ｃと小径部３２ｂとをさらに有している場合は、充填部材３４は、大径部３１ｂと大径部３１ｃとの間に位置する弁軸３の外周面上にも配置されている（すなわち、充填部材３４は、小径部３２ｂに位置する弁軸３の外周面上にも配置されている）。
【００４１】
充填部材３４は、弁軸３よりも可撓性が高いことが好ましい。このことを別の観点からいえば、充填部材３４は、弁軸３を構成する樹脂よりも弾性率が低い材料により構成されていることが好ましい。充填部材３４を構成する材料は、好ましくはゴムである。
【００４２】
充填部材３４は、外径Ｄ３を有している。外径Ｄ３は、外径Ｄ２よりも大きい。外径Ｄ３は、外径Ｄ１の０．９９倍以上１．０１倍以下であることが好ましい。外径Ｄ３は、外径Ｄ１と一致していることがさらに好ましい。すなわち、充填部材３４の外周面は、大径部３１ａ及び大径部３１ｂに位置する弁軸３の外周面と面一となっていることがさらに好ましい。
【００４３】
図６及び７に示すように、充填部材３４の少なくとも一部は、弁軸３が前進した際に、カラー部２の外部に位置している。すなわち、充填部材３４の少なくとも一部は、弁軸３が前進した際に、カラー部２の第１端２ａから露出する。
【００４４】
図示していないが、充填部材３４には、切り込みが設けられていてもよい。この切り込みは、例えば充填部材３４の径方向に沿って設けられている。充填部材３４は、例えば、この切り込みを押し開くとともに、この切り込みから弁軸３を充填部材３４に通すことにより、弁軸３に取り付けられる。また、充填部材３４は、焼付け加工で形成することもできる。
【００４５】
以下に、実施形態に係る流量調整装置の弁軸３の製造方法について図８を参照して説明する。弁軸３は、金型６に弁軸３を構成する樹脂を流し込み、硬化させることにより形成される。金型６の内壁面は、弁軸３の形状に合わせてかたどられている。
【００４６】
金型６は、複数の部分に分割されている。分割された金型６の部分の各々は、相互に位置を調整することが可能となっている。例えば図８に示すように、金型６は、弁軸３の大径部３１ａ、大径部３１ｂ、小径部３２ａ、テーパ部３３ａ及びテーパ部３３ｂを含む部分を形成するために、第１部分６ａ、第２部分６ｂ及び第３部分６ｃに分割されている。
【００４７】
第１部分６ａは、大径部３１ａ及びテーパ部３３ａを形成するための部分である。第２部分６ｂは、小径部３２ａを形成するための部分である。第３部分６ｃは、大径部３１ｂ及びテーパ部３３ｂを形成するための部分である。
【００４８】
以下に、実施形態に係る流量調整装置の効果を説明する。弁軸３が大径部３１ａ、大径部３１ｂ及び小径部３２ａを有しない場合には、同一の外径を有する弁軸３の部分が、中心軸方向において長くなる。弁軸３を成型する際に弁軸３の外周面側に作用する残留応力に起因して、弁軸３に反りが生じる場合がある。この反りは、同一の外径を有する弁軸３の部分が長くなるほど、大きくなる。その結果、弁軸３が大径部３１ａ、大径部３１ｂ及び小径部３２ａを有しない場合、要求される同軸度を得ることが困難である。
【００４９】
他方で、弁軸３が大径部３１ａ、大径部３１ｂ及び小径部３２ａを有している場合、小径部３２ａにおいて弁軸３の外径が小さくなっているため、弁軸３を成型する際に弁軸３の外周面側に作用する残留応力が、小径部３２ａにおいて解放されやすい。すなわち、大径部３１ａの外周面側に作用する残留応力は、大径部３１ｂに伝播しがたい。その結果、弁軸３が樹脂で形成されていたとしても、弁軸３に反りが生じにくくなる。
【００５０】
弁軸３の同軸度が要求される数値を満たしているかは、弁軸３の外周面上における測定点において同軸度を測定することにより判断される。この測定の結果、当該測定点において要求される同軸度を満たしていない場合、当該測定点を含む弁軸３の部分に対応する金型の修正が行われる。
【００５１】
実施形態に係る流量調整装置の弁軸３においては、大径部３１ａと大径部３１ｂとの間に、大径部３１ａ及び大径部３１ｂよりも外径が小さい小径部３２ａが配置されているため、大径部３１ａ及び大径部３１ｂの一方について金型の調整を行ったとしても、大径部３１ａ及び大径部３１ｂの他方に対してその影響が及びにくい。すなわち、実施形態に係る流量調整装置の弁軸３においては、大径部３１ａにおける同軸度と大径部３１ｂにおける同軸度とを独立して調整しやすい。
【００５２】
このように、実施形態に係る流量調整装置の弁軸３は、樹脂製であっても反りが生じにくく、同軸度の調整が行いやすいため、同軸度を改善することが可能となる。その結果、実施形態に係る流量調整装置によると、弁軸３を第１貫通穴２１でより確実にガイドすることが可能となる。
【００５３】
充填部材３４が弁軸３に取り付けられていない場合、小径部３２ａに位置する弁軸３の外周面と第１貫通穴２１の内周面との間に、空間が存在する。弁軸３が前進することで当該空間がカラー部２の外部と接続することにより、当該空間に入水流路１１からの湯水が流れ込む場合がある。
【００５４】
当該空間を流れる湯水は周囲を流れる湯水よりも相対的に圧力が低い。そのため、当該空間を通水する湯水には、気泡が発生する。この気泡が第１出水流路１２及び第２出水流路１３を流れる湯水に混入すると、この気泡は、第１出水流路１２及び第２出水流路１３を流れる湯水の相対的に高い圧力により、圧縮されて消滅する。この気泡の消滅には、衝撃が伴う。そのため、この気泡は、通水音の原因となる。また、気泡の消滅が配管の壁面近傍で生じる場合、配管壁面に対するエロージョンの原因ともなる。
【００５５】
他方、充填部材３４が弁軸３に取り付けられている場合、小径部３２ａに位置する弁軸３の外周面と第１貫通穴２１の内周面との間の空間が減少する。そのため、入水流路１１からの湯水が当該空間に流れ込みにくくなる。したがって、実施形態に係る流量調整装置によると、通水音及び配管のエロージョンを抑制することができる。
【００５６】
実施形態に係る流量調整装置において弁軸３がテーパ部３３ａ及びテーパ部３３ｂをさらに有している場合、大径部３１ａ及び大径部３１ｂと小径部３２ａとの間で外径が急峻に変化しない。そのため、この場合、金型を調整して弁軸３の同軸度を改善した際に、弁軸３の外周面に段差が形成されにくい。
【００５７】
実施形態に係る流量調整装置において、弁軸３がテーパ部３３ａ及びテーパ部３３ｂのいずれか一方のみを有している場合、弁軸３を成型する際の金型の個数を減らすことができる。そのため、この場合、弁軸３の製造コストを減少させることが可能となる。
【００５８】
実施形態に係る流量調整装置において、弁軸３が大径部３１ｃ及び小径部３２ｂをさらに有している場合、弁軸３の同軸調整をより細かく行うことが可能となる。
【００５９】
実施形態に係る流量調整装置において、充填部材３４がゴム等の弁軸３を構成する樹脂よりも可撓性の高い材料により構成されている場合、充填部材３４を変形させることにより容易に弁軸３に取り付けることができる。また、この場合、外径Ｄ３が外径Ｄ１よりも大きかったとしても、充填部材３４が第１貫通穴２１の内周面との接触により相対的に容易に変形し、充填部材３４が弁軸３と第１貫通穴２１との摺動の妨げとなりにくい。
【００６０】
実施形態に係る流量調整装置において、外径Ｄ３が外径Ｄ１の０．９９倍以上である場合、充填部材３４の外周面と第１貫通穴２１の内周面との間の空間が小さくなるため、入水流路１１からの湯水の当該空間への通水を抑制することができる。また、外径Ｄ３が外径Ｄ１の１．０１倍以下である場合、外径Ｄ３と外径Ｄ１との差を、第１貫通穴２１の内周面との接触による充填部材３４の変形によって吸収することができる。そのため、この場合には、通水音、配管等のエロージョンを抑制しつつ、充填部材３４が弁軸３と第１貫通穴２１の内周面との摺動の妨げとなることを抑制できる。
【００６１】
実施形態に係る流量調整装置において、充填部材３４の外周面と大径部３１ａ及び大径部３１ｂに位置する弁軸３の外周面とが面一となっている場合、通水音、配管等のエロージョンを抑制しつつ、充填部材３４が弁軸３と第１貫通穴２１の内周面との摺動の妨げとなることを抑制できる。
【００６２】
（実施形態に係る温水装置の構成）
以下に、実施形態に係る温水装置１００の構成について、図９を参照して説明する。図９に示されるように、実施形態に係る温水装置１００は、流量調整装置７と、給湯流路８と、注湯流路９とを有している。
【００６３】
流量調整装置７は、上記の実施形態に係る流量調整装置である。給湯流路８は、加熱された上水をカラン等に供給する流路である。注湯流路９は、加熱された上水を浴槽１０に供給する流路である。
【００６４】
給湯流路８は、配管８１と、配管８２と、配管８３と、熱交換器８４とを有している。配管８１の一方端には、上水道が接続されている。配管８１の他方端には、熱交換器８４の一方端が接続されている。熱交換器８４の他方端には、配管８２の一方端が接続されている。配管８２の他方端には、流量調整装置７の入水流路１１が接続されている。配管８３の一方端には、流量調整装置７の第１出水流路１２が接続されている。
【００６５】
熱交換器８４の近傍には、バーナ８５が配置されている。熱交換器８４は、バーナ８５から発せられる燃焼ガスとの熱交換により、配管８１から供給される上水を加熱する。配管８２を流れる加熱された上水は、流量調整装置７及び配管８３を介して、配管８３の他方端に接続されたカラン等に供給される。
【００６６】
注湯流路９は、配管９１と、配管９２と、注湯電磁弁９３とを有している。配管９１の一方端には、流量調整装置７の第２出水流路１３が接続されている。配管９１の他方端には、注湯電磁弁９３の一方端が接続されている。配管９２の一方端には、注湯電磁弁９３の他方端が接続されている。配管９２の他方端には、浴槽１０が接続されている。配管８２を流れる加熱された上水は、流量調整装置７、配管９１、配管９２及び注湯電磁弁９３を介して浴槽１０に供給される。
【００６７】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００６８】
１  本体部、１１  入水流路、１２  第１出水流路、１３  第２出水流路、１４  ガイド部、１４ａ  ガイド本体、１４ｂ  第２貫通穴、１４ｃ  リブ、１５  弁座、２  カラー部、２ａ  第１端、２ｂ  第２端、２１  第１貫通穴、２２  ネジ山、３  弁軸、３ａ  第１端、３ｂ  第２端、３ｃ  摺動部分、３ｄ  Ｏリング溝、３ｅ  Ｏリング、３０  ネジ山、３１ａ，３１ｂ，３１ｃ  大径部、３２ａ，３２ｂ  小径部、３３ａ，３３ｂ  テーパ部、３４  充填部材、４  駆動部、５  弁体、６  金型、６ａ  第１部分、６ｂ  第２部分、６ｃ  第３部分、７  流量調整装置、８  給湯流路、８１，８２，８３  配管、８４  熱交換器、８５  バーナ、９  注湯流路、９１，９２  配管、９３  注湯電磁弁、１０  浴槽、１００  温水装置、Ｄ１，Ｄ２，Ｄ３  外径。
【図１】
2018179206.tif 000003
【図２】
2018179206.tif 000004
【図３】
2018179206.tif 000005
【図４】
2018179206.tif 000006
【図５】
2018179206.tif 000007
【図６】
2018179206.tif 000008
【図７】
2018179206.tif 000009
【図８】
2018179206.tif 000010
【図９】
2018179206.tif 000011